(57)【要約】  本発明は、ゲートウェイ装置とゲートウェイにおける方法に関し、ゲートウェイ装置は、少なくとも１つのアナログ電話を接続するための複数のプラグ手段を有する、住居電話配線とのインタフェースと、第１音声サービスタイプを前記少なくとも１つのアナログ電話に提供するよう構成される中央オフィスを有する、ネットワークとのブロードバンドインタフェースと、前記第１音声サービスタイプが不可になると、前記ブロードバンドインタフェースを介し前記少なくとも１つのアナログ電話にＶｏＩＰサービスを提供するＦＸＳモジュールと、前記第１音声サービスタイプの存在を検出し、前記第１音声サービスタイプが不可になると前記ＦＸＳモジュールを前記住居電話配線に接続し、前記第１音声サービスタイプが可能になると前記ＦＸＳモジュールを前記住居電話配線から切断するバンドル解除検出手段と、前記第１音声サービスタイプ又は前記ＶｏＩＰサービスを利用する際に同一の電話番号が利用可能となるように、前記第１音声サービスタイプと前記ＶｏＩＰサービスとの間の切替時をゲートウェイ管理サーバに通知する管理エージェントとを有する。
2011519240.tif 000002
【特許請求の範囲】
【請求項１】
少なくとも１つのアナログ電話を接続するための複数のプラグ手段を有する、住居電話配線とのインタフェースと、
第１音声サービスタイプを前記少なくとも１つのアナログ電話に提供するよう構成される中央オフィスを有する、ネットワークとのブロードバンドインタフェースと、
前記第１音声サービスタイプが不可になると、前記ブロードバンドインタフェースを介し前記少なくとも１つのアナログ電話にＶｏＩＰサービスを提供するＦＸＳモジュールと、
前記第１音声サービスタイプの存在を検出し、前記第１音声サービスタイプが不可になると前記ＦＸＳモジュールを前記住居電話配線に接続し、前記第１音声サービスタイプが可能になると前記ＦＸＳモジュールを前記住居電話配線から切断するバンドル解除検出手段と、
前記第１音声サービスタイプ又は前記ＶｏＩＰサービスを利用する際に同一の電話番号が利用可能となるように、前記第１音声サービスタイプと前記ＶｏＩＰサービスとの間の切替時をゲートウェイ管理サーバに通知する管理エージェントと、
を有するゲートウェイ装置。
【請求項２】
前記ＦＸＳモジュールが前記住居電話配線から切断されると、前記第１音声サービスタイプの存在を検出するよう構成されるＦＸＯモジュールを有する、請求項１記載のゲートウェイ装置。
【請求項３】
前記ＦＸＳモジュールは、前記ＦＸＳモジュールが前記住居電話配線に接続されると、前記第１音声サービスタイプの存在を検出するよう構成される、請求項１又は２記載のゲートウェイ装置。
【請求項４】
前記ＦＸＯモジュールは、前記ＦＸＯモジュールと前記中央オフィスとの間の回線上の電圧レベルと続けて電流レベルとに基づき、前記第１音声サービスタイプの存在を検出する、請求項２記載のゲートウェイ装置。
【請求項５】
前記ＦＸＳモジュールは、前記ＦＸＳモジュールと前記中央オフィスとの間の回線上の電流レベルと続けて電圧レベルとに基づき、前記第１音声サービスタイプの存在を検出する、請求項２記載のゲートウェイ装置。
【請求項６】
少なくとも１つのアナログ電話を接続するための複数のプラグ手段を有する、住居電話配線とのインタフェースと、第１音声サービスタイプを前記少なくとも１つのアナログ電話に提供するよう構成される中央オフィスを有する、ネットワークとのブロードバンドインタフェースと、前記第１音声サービスタイプが不可になると、前記ブロードバンドインタフェースを介し前記少なくとも１つのアナログ電話にＶｏＩＰサービスを提供するＦＸＳモジュールとを有するゲートウェイにおける方法であって、
前記第１音声サービスタイプの存在を検出するステップと、
前記第１音声サービスタイプがない場合、前記ＦＸＳモジュールを前記住居電話配線に接続するステップと、
前記第１音声サービスタイプ又は前記ＶｏＩＰサービスを利用する際に同一の電話番号が利用可能となるように、前記ＦＸＳの接続をリモートサーバに通知するステップと、
を有する方法。
【請求項７】
ＰＳＴＮサービスが存在し、前記ＦＸＳが前記住居電話配線に接続されている場合、前記ＦＸＳを前記住居電話配線から切断するステップと、
前記ＰＳＴＮサービス又は前記ＶｏＩＰサービスを利用する際に同一の電話番号が利用可能となるように、前記住居電話配線からの前記ＦＸＳの切断をリモートサーバに通知するステップと、
を有する、請求項６記載の方法。
【請求項８】
ＰＳＴＮサービスの検出は、継続的に実行される、請求項６又は７記載の方法。
【請求項９】
前記ＦＸＳが前記住居電話配線から切断される場合、
前記ＦＸＯと前記中央オフィスとの間の回線の電圧を測定するステップと、
前記電圧がＦＸＯ＿ｖｏｌｔａｇｅ＿ｔｈｒｅｓｈｏｌｄ値を下回る場合、前記ＦＸＳを前記住居電話配線に接続するステップと、
を有する、請求項６記載の方法。
【請求項１０】
前記電圧が前記ＦＸＯ＿ｖｏｌｔａｇｅ＿ｔｈｒｅｓｈｏｌｄを上回る場合、前記回線の電流を測定するステップと、
前記電流がＦＸＯ＿ｃｕｒｒｅｎｔ＿ｔｈｒｅｓｈｏｌｄを下回る場合、前記ＦＸＳを前記住居電話配線に接続するステップと、
を有する、請求項９記載の方法。
【請求項１１】
前記ＦＸＳが前記住居電話配線に接続される場合、
前記ＦＸＳと前記中央オフィスとの間の回線の電流を測定するステップと、
前記電流がＦＸＳ＿ｃｕｒｒｅｎｔ＿ｔｈｒｅｓｈｏｌｄ値を上回る場合、前記回線の電圧を測定するステップと、
前記電圧がＦＸＳ＿ｖｏｌｔａｇｅ＿ｔｈｒｅｓｈｏｌｄ値を上回る場合、前記住居電話配線から前記ＦＸＳを切断するステップと、
を有する、請求項６記載の方法。
【発明の詳細な説明】
【技術分野】
【０００１】
本発明は、一般に電話サービスに関し、特に住居ネットワークにおける電話サービスに関する。
【背景技術】
【０００２】
このセクションは、以下に説明及び／又は請求される本発明の各種態様に関連する様々な技術的側面を読者に紹介するためのものである。ここでの説明は、読者が本発明の各種態様のより良い理解を促進するための背景情報を読者に提供するのに役立つと信じられる。従って、これらの説明はこの観点から読まれるべきものであり、先行技術の自認として読まれるべきでないことが理解されるべきである。
【０００３】
電話交換が加入者宅にある電話に接続されるローカルループでは、アナログ音声サービス又はＰＯＴＳ（Ｐｌａｉｎ  Ｏｌｄ  Ｔｅｌｅｐｈｏｎｅ  Ｓｅｒｖｉｃｅ）は、典型的には３００Ｈｚ〜３４００Ｈｚの周波数範囲を利用する。ローカルループはまた、ＵＴＰ（Ｕｎｓｈｉｅｌｄｅｄ  Ｔｗｉｓｔｅｄ  Ｐａｉｒ）電話線とも呼ばれる。ＤＳＬと呼ばれるデジタル加入者線技術は、もともとはＰＳＴＮ（Ｐｕｂｌｉｃ  Ｓｗｉｔｃｈｅｄ  Ｔｅｌｅｐｈｏｎｅ  Ｎｅｔｗｏｒｋ）専用の銅線を共有することを許容するＰＯＴＳ範囲を上回る周波数を利用する。ＰＳＴＮ配置上の典型的なＤＳＬは、ＤＳＬモデムがＰＳＴＮ電話オペレータの中央オフィス（ＣＯ）にあるＤＳＬＡＭと呼ばれるデジタル加入者線アクセスマルチプレクサと通信し、アナログ電話がローパスフィルタを介し住宅電話配線に差し込まれることを求める。また、アナログ電話は電話サービス中央オフィス又はＦＸＳ（Ｆｏｒｅｉｇｎ  ｅＸｃｈａｎｇｅ  Ｓｔａｔｉｏｎ）に接続され、ＤＳＬモデムはＤＳＬＡＭに接続される。ここで、同じローカルループでは、アナログ電話チャネルとＤＳＬチャネルの２つのチャネルが共存する。
【０００４】
ＤＳＬ技術は、加入者宅がＩＰと呼ばれるインターネットプロトコルを介しインターネットにアクセスすることを可能にする。加入者宅にあるＤＳＬゲートウェイは、それを介して各装置がインターネットに接続するＬＡＮインタフェースを有する。ＬＡＮ装置は、ＶｏＩＰ（Ｖｏｉｃｅ  ｏｖｅｒ  ＩＰ）のため各種アプリケーションを実行してもよい。ＶｏＩＰは、パーソナルコンピュータ上で実行されるアプリケーション又はＬＡＮに接続される専用のＶｏＩＰ端末又は専用のＶｏＩＰハードウェアに接続される通常のアナログ電話とのゲートウェイ上に埋め込まれて実行されるアプリケーションにより実行される。ＬＡＮは、イーサネット（登録商標）ネットワークなどの有線ネットワーク又はＷｉＦｉネットワークなどの無線ネットワークであってもよい。専用ＶｏＩＰハードウェアは、ローカルＦＸＯ（Ｆｏｒｅｉｇｎ  ｅＸｃｈａｎｇｅ  Ｏｆｆｉｃｅ）とローカルなＦＸＳ群との組み合わせである。ＦＸＯは、ＣＯにあるＦＸＳからＰＳＴＮサービスを受信するインタフェースである。それは、オンフック及びオフフックイベントインジケータを生成する。ローカルＦＸＳは、アナログ電話の接続を可能にし、ローカル電話が住居電話配線を介しＰＳＴＮに直接接続される電話と同じＰＳＴＮサービスにアクセスするため、ＣＯにあるＦＸＳにＩＰを介し透過接続されることを可能にする。ＶｏＩＰサービスは、ＰＳＴＮを使用せず、インターネットを介しＩＰ上で実行される。
【０００５】
ＶｏＩＰサービスをサポートするゲートウェイは、ＰＳＴＮとの２つのパラレルなパスを可能にする。このコンセプトは、ＰＳＴＮのＣＯを取り除くことを可能にした。このようなシナリオでは、オペレータは運営コストを低下させ、加入者宅はＶｏＩＰを介したＰＳＴＮサービスを維持することになる。加入者宅がもはやＰＳＴＮのＣＯに接続されなくなると、住居電話配線に差し込まれた電話はもはやＰＯＴＳサービスにアクセスすることができなくなる。加入者線インタフェース手段を有するＤＳＬゲートウェイは、ＦＸＳインタフェースに差し込まれた電話が依然としてＶｏＩＰによる音声サービスを実行することを可能にする。欧州特許出願ＥＰ１８２７０５５は、ゲートウェイにおいて住居電話配線にリンクされた電話が住居電話配線を変更する必要なくＶｏＩＰによる音声サービスを実行する可能にする方法について開示している。この方法は、以降においてリインジェクション又は再差し込み（ｒｅ−ｉｎｊｅｃｔｉｏｎ）と呼ばれる。ＦＸＳポート（再差し込みされると）はそれの機能を引き継ぐため、前のＰＳＴＮのＣＯがラインから除去されていることが求められる。
【０００６】
図１４は、ＥＰ１８２７０５５のシステムを示す。ローカルループ３は、加入者宅が接続される中央オフィス３０に加入者宅１．１を接続する。中央オフィス３０は、ＤＳＬＡＭと呼ばれるデジタル加入者線アクセスマルチプレクサ２５と、ＰＳＴＮ中央オフィス３１とを有する。ＤＳＬＡＭは、加入者宅にあるＤＳＬゲートウェイ１に接続するためのものであり、これは、ＤＳＬゲートウェイがＤＳＬＡＭに登録し、ポイント・ツー・ポイント接続によりＤＳＬＡＭに関連付けされることを意味する。それは、ＤＳＬサービスをＤＳＬゲートウェイに提供する。それは、加入者がインターネット２０にアクセスすることを可能にする。ＰＳＴＮ中央オフィス３１は、ＦＸＳを有する。ＦＸＳは、ローカルループを介したＤＳＬ接続の存在のため必要とされるローパスフィルタ３３を介しローカルループに接続される。これは、ＤＳＬのより高いトーンがアナログＰＳＴＮサービスの動作を妨害することを防ぐ。電話７はＰＳＴＮのＣＯ３１に接続され、それはＦＸＳ３２を介しＰＳＴＮサービスを受信する。ＦＸＳは、図示されない電話加入者線インタフェース回路ＳＬＩＣを有する。ＳＬＩＣは、ＢＯＲＳＣＨＴ（Ｂａｔｔｅｒｙ，ｏｖｅｒｖｏｌｔａｇｅ，ｐｒｏｔｅｃｔｉｏｎ，ｒｉｎｇｉｎｇ，ｓｕｐｅｒｖｉｓｉｏｎ，ｃｏｄｅｃ，ｈｙｂｒｉｄ，ａｎｄ  ｔｅｓｔｉｎｇ）機能を実行する。ＳＬＩＣは、ラインカード又は集積回路上に個別に実装されてもよい。加入者宅は、ローカルループと住居電話配線との間のインタフェースであるエントリ最小ポイントＭＰＯＥ（Ｍｉｎｉｍｕｍ  Ｐｏｉｎｔ  Ｏｆ  Ｅｎｔｒｙ）を有する。住居電話配線１１０は、ＰＳＴＮ装置又はＤＳＬゲートウェイやＤＳＬモデムなどのＤＳＬ装置を接続するため、複数のプラグ１１００，１１０１を有する。プラグは、例えば、ＲＪ−１１と呼ばれる標準的なコネクタであり、電話又はデータ用の他の何れかのタイプの電気コネクタであってもよい。プラグに接続されるＰＳＴＮ装置は、有線電話、コードレス電話、ファックス又はボイスバンドモデムであってもよい。プラグに付属されるＤＥＣＴ基地局などの基地局は、複数のＤＥＣＴターミナルを接続することを可能にする。本明細書の以降において、電話は音声周波数信号を送受信するためのすべての装置を表す。それは、例えば、電話、基地局を含むＤＥＣＴシステム、コードレス電話、ファックス及びボイスバンドモデムなどを含む。ＤＳＬゲートウェイは、ＤＳＬインタフェースを介し加入者宅に接続される。電話７はまた、ローパスフィルタ６を介し住居電話配線に接続される。ＤＳＬゲートウェイ１は、ＬＡＮ１０に接続されるＰＣ９などのすべての装置にインターネット２０へのアクセスを提供するため、ＬＡＮインタフェースを有する。ＤＳＬゲートウェイは、電話８との接続のためのインタフェースを有する。このインタフェースは、ＦＸＳインタフェースである。電話は、ＰＳＴＮ中央オフィス３１にあるＦＸＳにより提供されるＰＳＴＮサービスにアクセスしてもよい。電話８は、ゲートウェイにより提供される音声サービスにアクセスしてもよく、電話８は中央オフィス３０にあるＦＸＳには接続されず、ゲートウェイ１にあるＦＸＳに接続される。このと���、ゲートウェイはＤＳＬ接続を介しＶｏＩＰを実行する。
【０００７】
従来、ＰＳＴＮ電話オペレータは、ＣＯからエンド加入者宅までの自らの電話配線を所有する。実際上は、これは、加入者が電話番号によるＰＳＴＮ契約をすでに有している場合しか加入者がＤＳＬサービスに加入できないことを意味する。電話オペレータは、ＰＳＴＮインフラストラクチャを所有することなくＶｏＩＰサービスを提供するようにしてもよい。各加入者は、音声通話を発信又は受信できるように、１以上の電話番号を提供するようにしてもよい。規制上の理由のため、ＰＳＴＮプロバイダは、競争を促すためにローカルループを切り離し、他の電話会社が通信ネットワークの当該部分への無差別なアクセスを有することを許可することが義務付けられる。
【０００８】
ＰＳＴＮ音声契約と電話番号とを有する加入者に対して、この切り離しプロセスは音声サービスに影響を与える可能性がある。すなわち、ＰＳＴＮ電話番号はもはや有効でなく、異なる電話番号を用いたＶｏＩＰ契約に切り替える必要がある。オペレータはループの切り離しを実行することが規制上義務付けられるが、エンドユーザへの影響を最小限にし、理想的にはＰＳＴＮからＶｏＩＰへの電話番号の変更なしに音声サーバの継続性を保障することを所望する。
【発明の概要】
【０００９】
本発明は、エンドユーザのシームレスなスイッチングを可能にする装置を提供することによって、従来技術の電話サービススイッチングに関する問題の少なくとも一部を解決することを試みる。
【００１０】
本発明は、少なくとも１つのアナログ電話を接続するための複数のプラグ手段を有する、住居電話配線とのインタフェースと、第１音声サービスタイプを前記少なくとも１つのアナログ電話に提供するよう構成される中央オフィスを有する、ネットワークとのブロードバンドインタフェースと、前記第１音声サービスタイプが不可になると、前記ブロードバンドインタフェースを介し前記少なくとも１つのアナログ電話にＶｏＩＰサービスを提供するＦＸＳモジュールと、前記第１音声サービスタイプの存在を検出し、前記第１音声サービスタイプが不可になると前記ＦＸＳモジュールを前記住居電話配線に接続し、前記第１音声サービスタイプが可能になると前記ＦＸＳモジュールを前記住居電話配線から切断するバンドル解除検出手段と、前記第１音声サービスタイプ又は前記ＶｏＩＰサービスを利用する際に同一の電話番号が利用可能となるように、前記第１音声サービスタイプと前記ＶｏＩＰサービスとの間の切替時をゲートウェイ管理サーバに通知する管理エージェントとを有するゲートウェイ装置に関する。
【００１１】
本発明は、電話サービスプロバイダから他の電話サービスに切り替え、同一の電話番号を維持することを可能にする。サービスが他のプロバイダ及び／又は他の電話サービスタイプにより確保されるという事実は、エンドユーザにトランスペアレントである。
【００１２】
実施例によると、ゲートウェイは、前記ＦＸＳモジュールが前記住居電話配線から切断されると、前記第１音声サービスタイプの存在を検出するよう構成されるＦＸＯモジュールを有する。
【００１３】
実施例によると、前記ＦＸＳモジュールは、前記ＦＸＳモジュールが前記住居電話配線に接続されると、前記第１音声サービスタイプの存在を検出するよう構成される。
【００１４】
実施例によると、前記ＦＸＯモジュールは、前記ＦＸＯモジュールと前記中央オフィスとの間の回線上の電圧レベルと続けて電流レベルとに基づき、前記第１音声サービスタイプの存在を検出する。
【００１５】
実施例によると、前記ＦＸＳモジュールは、前記ＦＸＳモジュールと前記中央オフィスとの間の回線上の電流レベルと続けて電圧レベルとに基づき、前記第１音声サービスタイプの存在を検出する。
【００１６】
本発明の他の課題は、少なくとも１つのアナログ電話を接続するための複数のプラグ手段を有する、住居電話配線とのインタフェースと、第１音声サービスタイプを前記少なくとも１つのアナログ電話に提供するよう構成される中央オフィスを有する、ネットワークとのブロードバンドインタフェースと、前記第１音声サービスタイプが不可になると、前記ブロードバンドインタフェースを介し前記少なくとも１つのアナログ電話にＶｏＩＰサービスを提供するＦＸＳモジュールとを有するゲートウェイにおける方法である。本方法は、前記第１音声サービスタイプの存在を検出するステップと、前記第１音声サービスタイプがない場合、前記ＦＸＳモジュールを前記住居電話配線に接続するステップと、前記第１音声サービスタイプ又は前記ＶｏＩＰサービスを利用する際に同一の電話番号が利用可能となるように、前記ＦＸＳの接続をリモートサーバに通知するステップとを有する。
【００１７】
実施例によると、本方法は、ＰＳＴＮサービスが存在し、前記ＦＸＳが前記住居電話配線に接続されている場合、前記ＦＸＳを前記住居電話配線から切断するステップと、前記ＰＳＴＮサービス又は前記ＶｏＩＰサービスを利用する際に同一の電話番号が利用可能となるように、前記住居電話配線からの前記ＦＸＳの切断をリモートサーバに通知するステップとを有する。
【００１８】
実施例によると、ＰＳＴＮサービスの検出は、継続的に実行される。
【００１９】
実施例によると、本方法は、前記ＦＸＳが前記住居電話配線から切断される場合、前記ＦＸＯと前記中央オフィスとの間の回線の電圧を測定するステップと、前記電圧がＦＸＯ＿ｖｏｌｔａｇｅ＿ｔｈｒｅｓｈｏｌｄ値を下回る場合、前記ＦＸＳを前記住居電話配線に接続するステップとを有する。
【００２０】
実施例によると、本方法は、前記電圧が前記ＦＸＯ＿ｖｏｌｔａｇｅ＿ｔｈｒｅｓｈｏｌｄを上回る場合、前記回線の電流を測定するステップと、前記電流がＦＸＯ＿ｃｕｒｒｅｎｔ＿ｔｈｒｅｓｈｏｌｄを下回る場合、前記ＦＸＳを前記住居電話配線に接続するステップとを有する。
【００２１】
実施例によると、本方法は、前記ＦＸＳが前記住居電話配線に接続される場合、前記ＦＸＳと前記中央オフィスとの間の回線の電流を測定するステップと、前記電流がＦＸＳ＿ｃｕｒｒｅｎｔ＿ｔｈｒｅｓｈｏｌｄ値を上回る場合、前記回線の電圧を測定するステップと、前記電圧がＦＸＳ＿ｖｏｌｔａｇｅ＿ｔｈｒｅｓｈｏｌｄ値を上回る場合、前記住居電話配線から前記ＦＸＳを切断するステップとを有する。
【００２２】
本発明の他の課題は、コンピュータ上で実行されると、本発明の方法の各ステップを実行するためのプログラムコード命令を有するコンピュータプログラムである。“コンピュータプログラム”によって、ディスケットやカセットなどのプログラムを含む格納スペースだけでなく、電気又は光信号などの信号において構成されるコンピュータプログラムサポートが意図される。
【００２３】
開示される実施例の範囲に対応する特定の態様が以下に与えられる。これらの態様は本発明がとりうる特定の形態の簡単なサマリを読者に提供するためだけに与えられ、これらの態様は本発明の範囲を限定するものでないことが理解されるべきである。実際、本発明は、以下に与えられない各種態様を包括するものであってもよい。
【図面の簡単な説明】
【００２４】
本発明は、添付された図面を参照して限定することなく以下の実施例及び実行例を用いてより良く理解及び説明される。
【図１】図１は、実施例によるシステムのブロック図である。
【図２】図２は、実施例によるオブジェクトのブロック図である。
【図３】図３は、実施例によるオブジェクトの第１ブロック図である。
【図４】図４は、実施例によるオブジェクトの第２ブロック図である。
【図５】図５は、実施例によるオブジェクトの第３ブロック図である。
【図６】図６は、実施例によるオブジェクトの第４ブロック図である。
【図７】図７は、ゲートウェイスタートアップを説明する状態マシーンである。
【図８】図８は、ＦＸＯを介した中央オフィス検出を説明する状態マシーンである。
【図９】図９は、ＦＸＳを介した中央オフィス検出を説明する状態マシーンである。
【図１０】図１０は、有効なオフフックのチェックを説明する状態マシーンである。
【図１１】図１１は、通話中の中央オフィス検出を説明する状態マシーンである。
【図１２】図１２は、通話中の中央オフィス検出を説明する。
【図１３】図１３は、アラームモニタリングを説明する状態マシーンである。
【図１４】図１４は、中央オフィスに接続される宅内のブロック図である。          図面では、図示されるブロックは、物理的に分離したエンティティに必ずしも対応する必要はない純粋に機能的なエンティティである。すなわち、それらは、ハードウェア又はソフトウェアの形態により開発可能であるか、又は１以上の集積回路により実現可能である。
【発明を実施するための形態】
【００２５】
例示的な実施例は、２つの異なる電話サービスに加入する住居ネットワークのフレームワークの範囲内のものであるが、本発明はこの特定の環境に限定されるものでなく、エンドユーザが同一のサービス識別子を用いて同時に可能なサービスの間をスイッチ可能な他のフレームワークに適用されてもよい。実施例はＶｏＩＰサービスとＰＳＴＮサービスに適用される。もちろん、それは、異なるＰＳＴＮサービスプロバイダ及び／又はＶｏＩＰプロバイダの間のスイッチングに適用される。実施例はまた、電話サービスに適用される。もちろん、それはまた識別子が利用され、複数のサービスプロバイダにより利用可能な何れかのサービスに適用される。
【００２６】
図１において、実施例によるシステムが示される。インターネットゲートウェイ１は、インターネットゲートウェイ１は、ＤＳＬＡＭ２５を介しローカルネットワークをインターネットネットワーク及びＰＳＴＮネットワークに接続する。図２においてより詳細に示されるインターネットゲートウェイ１は、以下のモジュールを有する。ＶｏＩＰモジュール１１は、ＶｏＩＰ機能を実行する。特に、それはアナログ電話通話をＶｏＩＰデータ及びシグナリングプロトコルに変換する。管理エージェント１２は、管理サーバ２２と通信するよう構成される。それは、情報提供や設定変更適用などの管理アクションを実行する。管理エージェント１２は、ＴＲ−０６９規格“Ｔｅｃｈｎｉｃａｌ  Ｒｅｐｏｒｔ，ＴＲ−０６９，ＣＰＥ  ＷＡＮ  Ｍａｎａｇｅｍｅｎｔ  Ｐｒｏｔｏｃｏｌ，ｄａｔｅｄ  Ｍａｙ  ２００４  ｆｒｏｍ  ｔｈｅ  ＤＳＬ−Ｆｏｒｕｍ”に規定されるような管理プロトコルを実行する。切り離し検出モジュール１３は、後述されるような中央オフィス（ＣＯ）からのＵＴＰラインのライン電流／電圧がないことによるループ切り離しを検出するよう構成される。それは、以降に規定されるような信号リインジェクション状態マシーンを有する。インターネットゲートウェイ１はまた、ＦＸＯ１４とＦＸＳ１５とを有する。もちろん、それは複数のＦＸＳを有することも可能である。
【００２７】
管理サーバ２２は、ゲートウェイ管理エージェント１２と通信するサーバである。それは、サービスプロバイダにより制御される。それは、サービスプロバイダ管理システム、診断／トラブルシューティングシステム及びヘルプデスクと統合される。管理サーバ２２はまた、ゲートウェイ管理サーバ又は自動設定サーバ（ＡＣＳ）とも呼ばれる。ＶｏＩＰサーバ２１は、電話通話を中継し、加入者のＶｏＩＰ電話番号を保持／管理するため、ゲートウェイＶｏＩｐモジュール１１と通信するＶｏＩｐプロキシ／登録機関／ゲートウェイサーバである。ＶｏＩＰ  ＰＳＴＮゲートウェイ２３は、ＶｏＩＰとＰＳＴＮ音声ネットワークの間の通話を行うことを可能にするサーバである。ＶｏＩＰ−ＰＳＴＮゲートウェイ２３は、ＰＳＴＮ１０及びインターネット２０に接続される。このため、ＶｏＩＰ電話（又はＶｏＩＰ  ＤＳＬゲートウェイ）を用いて、ユーザは依然としてＰＳＴＮ電話番号をダイアルすることが可能である。ＰＳＴＮ加入装置２４は、ＰＳＴＮ加入者に関するデータベースである。それは、加入者の電話番号と請求先住所とを有する。
【００２８】
バンドル解除又は切り離し（ｕｎｂｕｎｄｌｉｎｇ）検出部１３は、ＵＴＰ電話線上の電流／電圧がなくなることを検出する。それは、検出をゲートウェイ管理エージェント１２に通知する。それは、シグナリングを必要とすることなくＣＯインタフェースの存在を自動検出する。ＣＯがないとき、ラインの電流／電圧は存在しない。ラインは、切り離されているとみなすことができる。バンドル解除検出部がさらに詳細に説明される。
【００２９】
ゲートウェイがスタートアップすると、信号リインジェクション状態マシーンがが、図７に示されるように開始される。音声スタックは、“Ｐａｒａｓｉｔｉｃ＿ｄｉｓｃｈａｒｇｅ＿ｐｅｒｉｏｄ”においてＦＸＯをオフフック状態に設定する。これは、ＰＣＢ上のレイヤ間寄生容量又は外部の寄生容量など不要な容量の何れかの組み合わせの放電を可能にする。その後、ＦＸＯはオンフック状態に戻され、ｘＤＳＬリンクの状態が、状態マシーンを再開するため“ＤＳＬ＿ＵＰ＿ｐｏｌｌｉｎｇ＿ｄｅｌａｙ”により周期的にポーリングされる。ｘＤＳＬリンクがアップされ、ＶｏＩＰサービスがＶｏＩＰサーバに接続可能になるまで、アクションは実行されない。
【００３０】
図８において、ＦＸＯを介したＣＯ検出が示される。ｘＤＳＬリンクがアップされると、ＦＸＯは、ＰＳＴＮサービスが存在するか否か判断する。これは、バンドルの信号配線間の寄生容量による、又はライン上の搭載されたキャパシタを有する古い電話による誤ったＣＯ検出を捉えるため、２つのステップにより実行される。
【００３１】
まず、ＦＸＯはライン電圧を測定する。それが“ＦＸＯ＿ＣＯ＿ｌｉｎｅ＿ｖｏｌｔａｇｅ＿ｔｈｒｅｓｈｏｌｄ”未満である場合、利用可能なＰＳＴＮはなく、ＦＸＯは電話線から切断されていると想定される。
【００３２】
ライン電圧が“ＦＸＯ＿ＣＯ＿ｌｉｎｅ＿ｖｏｌｔａｇｅ＿ｔｈｒｅｓｈｏｌｄ”未満でない場合、ライン上にアクティブなＰＳＴＮ  ＣＯが存在することは直接想定することはできない。
【００３３】
同一のバンドルが複数のペアを有する可能性がある。バンドルのすべてのペアが必ずしも信号リインジェクションを利用するとは限らない。これは、一部のユーザは従来のＰＳＴＮラインを利用し続けたいためである。従って、トランク（ｔｒｕｎｋ）と呼ばれる電話バンドルは、信号リインジェクションが適用されない場合、ＮＯＮ−ＳＲペアとも呼ばれる、ＰＳＴＮが依然としてアクティブであるペアを有する。電話バンドルはまた、信号リインジェクションが適用されるペアを有する。
【００３４】
同じバンドルの２つのペア間にある寄生容量は、ＮＯＮ−ＳＲペアのライン電圧まで充電可能であり、このため、ＦＸＯは通常のライン電圧に等しいライン上の電圧を観察する。誤った検出を回避するため、ＦＸＯはオフフック状態に置かれていて、“Ｐａｒａｓｉｔｉｃ＿ｄｉｓｃｈａｒｇｅ＿ｐｅｒｉｏｄ”の後に、ライン電流が測定される。ラン電流が“ＦＸＯ＿ＣＯ＿ｌｉｎｅ＿ｃｕｒｒｅｎｔ＿ｔｈｒｅｓｈｏｌｄ”を超える場合、ＣＯラインフィードは依然としてアクティブであると想定され、ＣＯ検出手順が“ＣＯ＿ｐｏｌｌｉｎｇ＿ｄｅｌａｙ”の後に繰り返される。“ＦＸＯ＿ＣＯ＿ｌｉｎｅ＿ｃｕｒｒｅｎｔ＿ｔｈｒｅｓｈｏｌｄ”を超える電流が観察されない場合、ＦＸＯは電話線から除去可能であり、ＦＸＳがＰＳＴＮ  ＣＯとして利用可能である。
【００３５】
ＦＸＳがすでにラインに接続されているとき、中継は再び切り替えられる必要はない。従って、ＦＸＳがすでにライン上にあることをマーキングするためのフラグが設定される。
【００３６】
図９において、ＦＸＳを介したＣＯ検出が示される。ＦＸＯが電話線にアクティブなＰＳＴＮ  ＣＯがないと判断すると、ＦＸＳは当該ラインに接続されており、ＰＳＴＮ  ＣＯとして機能する。ＦＸＳと一緒に、アラームモニタが開始され、以降においてさらに説明される。それは、ソフトウェアに電話線上に発生する可能性のある危険状態を通知する。ＳＬＩＣがラインをモニタし、ハードウェアを介しこれを通知することによって危険なイベントに応答することは通常行われている。
【００３７】
新たな状態がまた、管理エージェント１２にあるＴＲ６９エージェントに通知されている（ａｃｔｉｖｅ  ｓｅｎｄ）。ＦＸＳポートがＣＯとしてアクティブ状態を維持することが可能であることを確実にするため、それは、不正な（ｒｏｇｕｅ）ＰＳＴＮ  ＣＯの存在をチェックし続け（不正なＰＳＴＮ  ＣＯは、人的及び／又はソフトウェアエラーの結果としてライン上に出現しうる）、これは、ラインの“電流ポーリング”を介し実行される。電流ポーリングは、“ＦＸＳ＿Ｏｆｆ＿ｈｏｏｋ＿ｃｕｒｒｅｎｔ＿ｔｈｒｅｓｈｏｌｄ”を超過しているか否かのチェックに基づく。電流閾値は、複数の方法により超過しうる。ＣＯが突然ライン上に存在したり、又は有効なオフフックイベントが存在する。ＦＸＳが有効なオフフックイベントと偽のオフフックイベントとを区別できることが重要である。
【００３８】
ＰＳＴＮ  ＣＯがＦＸＳポートに接続されると、４つの可能性のあるシナリオが存在する。
・Ｖ＿Ｌｉｎｅ  ＦＸＳ＞Ｖ＿ｌｉｎｅ  ＰＳＴＮ  ＣＯである場合、フォワード電流がＦＸＳからＰＳＴＮ  ＣＯにリークする。
・Ｖ＿Ｌｉｎｅ  ＦＸＳ＜Ｖ＿ｌｉｎｅ  ＰＳＴＮ  ＣＯである場合、リバース電流がＦＸＳからＰＳＴＮ  ＣＯにリークする。
・Ｖ＿ｌｉｎｅ  ＦＸＳがＶ＿ｌｉｎｅ  ＰＳＴＮ  ＣＯである場合、電流は流れていない。
・逆極性接続：ＰＳＴＮ  ＣＯのライン極性はＦＸＳのライン極性に等しくない。
【００３９】
“逆極性”の特徴は以下のように出現しうる。ＣＯとＦＸＳの双方がラインフィードの極性を逆転可能である（基本的にはチップとリングの交換）。これらのシナリオは、ＰＳＴＮ  ＣＯとＦＸＳの双方が反対の極性にない場合、一般に上述したものにマップする。この場合、アラームはＳＬＩＣにおいてトリガーされ、ＦＸＳはラインから自動的に切断される。
【００４０】
電流フローによるすべてのシナリオは直接的なものであり、後述されるような“有効オフフックのチェック”手順により対処可能である。唯一の例外はシナリオ３である。これは、すでに電流フローがあるため、通話処理中には求められない異なるアプローチであるためである。
【００４１】
ＰＳＴＮ  ＣＯの存在を検出するため、電流が流れている必要がある。これは、ＳＬＩＣがライン上の他の電流ソースがあるか見つける必要のある検出方法である。ＳＬＩＣを介して流れる電流（又はオフフック検出閾値より高くない電流）がない場合、電流を強制的に流すため（何れかの方向に）、強制的なメカニズムが周期的に利用される。
【００４２】
電流が流れていないとき、ＦＸＳライン電圧は、“Ｆｏｒｃｅ＿ＣＯ＿ｏｆｆ＿ｈｏｏｋ＿ｄｅｌａｙ”に設定された遅延に対して“Ｆｏｒｃｅ＿ＣＯ＿ｏｆｆ＿ｈｏｏｋ＿ｄｅｔｅｃｔｉｏｎ＿ｔｈｒｅｓｈｏｌｄ”値に下げられる。この電圧値は、ＰＳＴＮ  ＣＯがあるとき電流が流れ始めるように（また、オフフックイベントがトリガされるように）、通常のＰＳＴＮライン電圧と比較してやや低く選ばれる。検出されない場合、ＦＸＳライン電圧はデフォルトレベルに回復され、“ＣＯ＿ｐｏｌｌｉｎｇ＿ｄｅｌａｙ”の後に、電流が再びポーリングされる。
【００４３】
“ＦＸＳ＿Ｏｆｆ＿ｈｏｏｋ＿ｃｕｒｒｅｎｔ＿ｔｈｒｅｓｈｏｌｄ”値を超過すると、ＦＸＳポートは、有効なオフフックがあるか、又はＰＳＴＮ  ＣＯアクティブシナリオの１つが適用可能であるか判断する。図１０において、これが示される。
【００４４】
ＣＯの有無をチェックするため、ＦＸＳラインフィードが無効にされ、電話線上の電圧が測定される。ライン電圧が“ＦＸＳ＿ＣＯ＿ｌｉｎｅ＿ｖｏｌｔａｇｅ＿ｔｈｒｅｓｈｏｌｄ”値を下回る場合、通常の電話がＦＸＳポートに付属される。このため、通話は通常処理される。しかしながら、古い電話機がＦＸＳポートに付属することも可能である。古い電話機は、通常はチップとリングとの間に接続される大きなキャパシタを埋め込んでいる。ラインフィードが無効にされると、このキャパシタがＦＸＳをオフフックにすることによって排出され始める。従って、ライン電圧の第２ポーリングが、“Ｏｌｄ＿ｐｈｏｎｅ＿ｐｏｌｌｉｎｇ＿ｄｅｌａｙ”の後に実行される。２つの連続する測定値の間の差が“Ｏｌｄ＿ｐｈｏｎｅ＿ｄｅｔｅｃｔｉｏｎ＿ｔｈｒｅｓｈｏｌｄ”より大きい場合、ＦＸＳは通話を通常処理する。そうでない場合、ＰＳＴＮ  ＣＯラインフィードはオンされ、電話線から取り外される前にＣＯが検出されたという表示をＦＸＳは通知する（“Ｅｒｒｏｒ＿ｉｎｄｉｃａｔｉｏｎ”＋ＣＯ電圧が存在するというＴＲ６９エージェントへの通知）。
【００４５】
オフフックイベントが有効なものとして認識されると、通話はＦＸＳポートにより処理されている。この通話中、ＦＸＳはＰＳＴＮ  ＣＯの有無をチェックし続ける。通話中にＣＯが有効とされている場合、ＦＸＳポートは通話を終了することはできない（電話機のオンフック状態遷移は、ＰＳＴＮ  ＣＯがラインをオフフック状態に保持するため、検出されない）。
【００４６】
通話が終了され、電話がオンフック状態に変わると、ＦＸＳは依然として電流の流れを観察する。従って、課金問題を導きうるＶｏＩＰ通話は終了されない。このため、図１１及び１２に示されるように、さらなる検出メカニズムが必要とされる。
【００４７】
通話が処理されるとき、ＦＸＳライン電圧が測定及び格納される。これは、初期的なライン電圧である。許可された又は不正なオフフック／オンフック遷移により電圧は通話中に変動しうるため、この電圧を記録することが重要である。その後、電流フローがある限り、ライン電圧は継続的にポーリングされる。そうでない場合、通話は終了され、状態マシーンは“ＦＸＳによるＣＯ検出（ｄｅｔｅｃｔ  ＣＯ  ｗｉｔｈ  ＦＸＳ）”に戻る。第２の電話がオフフック状態にあるため、ライン電圧が低下した場合、“Ｍｕｌｔｉ＿ｏｆｆ＿ｈｏｏｋ”カウンタが増やされる。ライン電圧が増加すると、“Ｍｕｌｔｉ＿ｏｆｆ＿ｈｏｏｋ”カウンタが減らされる。しかしながら、カウンタは、ゼロ以下には低下させることはできない。これが発生した場合、そのことは、ライン電圧が以前のオフフックイベントが記録されることなく増えることを意味し、このため、ＰＳＴＮ  ＣＯがラインに接続されていたことを意味する。同一ライン上でアクティブな２つの電流ソースが存在する場合、オフフック状態の電話を介し電流が増やされるという事実によって、ライン電圧が上昇する。ＣＯが逆極性によりラインと接続すべき場合、ライン電圧の増加はないが、ＦＸＳはライン上のアラーム状態を検出し、自らを切り離し、ゲートウェイはアラームハンドラを介しエラーイベントを通知するであろう（“Ｅｒｒｏｒ＿ｉｎｄｉｃａｔｉｏｎ”＋ＣＯ電圧があるというＴＲ６９エージェントへの通知）。ＣＯが検出されると、ＦＸＳは、それが電話線から取り外される前にＣＯが検出されたという表示を通知する（“Ｅｒｒｏｒ＿ｉｎｄｉｃａｔｉｏｎ”＋ＣＯ電圧があるというＴＲ６９エージェントへの通知）。ＣＯが逆極性によりラインに接続すべき場合、ライン電圧の増加はないが、ＦＸＳはライン上のアラーム状態を検出し、自らを切り離し、ゲートウェイはアラームハンドラを介しエラーイベントを通知するであろう（“Ｅｒｒｏｒ＿ｉｎｄｉｃａｔｉｏｎ”＋ＣＯ電圧があるというＴＲ６９エージェントへの通知）。
【００４８】
検出機構の上昇／低下閾値は、“Ｍｉｎ＿Ｖｌｉｎｅ＿ｉｎｃｒｅａｓｅ”及び“Ｍｉｎ＿Ｖｌｉｎｅ＿ｄｅｃｒｅａｓｅ”により決定される。
【００４９】
ＦＸＳ動作中、ＦＸＳポートは、図１３に示されるように、ライン上の“アラーム状態”の有無をモニタする。ＳＬＩＣに損害を与えうる複数のエラーイベントがチェックされる。このようなフォルト状態は、パワーアラームと熱アラームの２つのタイプに分けられる。パワーアラームは、過電圧又は過電流状態（フォワード及びリバース）があるとき生成される。熱アラームは、ＳＬＩＣにおける過剰な熱発生により与えられる（過電圧又は過電流に関する）。
【００５０】
ＳＬＩＣは、“デフォルトによって”ラインフィード機能を不可にし、自らをラインから切り離すことによってこのような状態に対応しなければならない。その後、ＦＸＳ機能を再開することはホストプロセッサ次第である。
【００５１】
ＦＸＳがライン上でアクティブであるとき、後述される“ＦＸＳによるＣＯ検出（ＣＯ  ｄｅｔｅｃｔ  ｗｉｔｈ  ＦＸＳ）”手順において開始され、アラームモニタがまた開始される。まず、モニタはインタラプトハンドラを介し設定される必要がある。アラームインタラプトは、ＦＸＳポートにより何かを実行する前にアクティブにされる必要がある。インタラプトが設定されると、“Ａｌａｒｍ＿ＩＲＱ＿ＥＮ”フラグが設定される。ゲートウェイのパワーリブートを介してのみそれは設定解除される。その後、ホストＣＰＵは、インタラプトリクエストビット（ＩＲＱ）が設定されている場合又は“ＦＸＳ＿Ａｌａｒｍ＿Ｐｏｌｌｉｎｇ＿Ｄｅｌａｙ”によりプログラムされるポーリング遅延により設定されていない場合、ポーリングを継続する。
【００５２】
パワー又は熱のインタラプトの何れかが設定されると、ホストは“ゲートウェイシステムログ”においてエラーイベントを生成する。ＦＸＳはラインから取り外され、リモートＴＲ６９エージェントにアラームイベントが通知され、ＦＸＯがＰＳＴＮ  ＣＯの有無についてチェックするのに用いられる。
【００５３】
ＴＲ６９エージェントにおいて高速変動イベントを生成しないようにするため、アラーム信号（生成されるとき）は、ＦＸＯからＦＸＳへの以降が通知されるときに限ってクリアされる。このようにして、ＦＸＳアラーム状態は、システムがそれからリカバしないかぎり、ＴＲ６９エージェントにとどまる。システムが再びローカルＶｏＩＰ  ＣＯとしてＦＸＳポートを利用することが可能になると、それはこれを通知し、その後にアラーム状態がクリアされる。
【００５４】
図３〜６において示されるように、リインジェクションがアクティブ化される。図３〜６は、実施例によるゲートウェイのスイッチング機能を示す。図３及び４の設定では、住居配線からゲートウェイ（図示せず）にＰＳＴＮ信号を供給する中央外部フィルタが存在する。そのとき、同じローカルループでは、アナログ電話チャネルとｘＤＳＬチャネルの２つのチャネルが共存する。ゲートウェイは、ｘＤＳＬとのインタフェースと（ＦＸＳからＦＸＯを介しローカルなもの又はＰＳＴＮ  ＣＯを介した従来のもの）、ＰＳＴＮとの他のインタフェースとを有する。ゲートウェイはまた、アナログ電話とのＦＸＳインタフェースを有する。ゲートウェイは、ｘＤＳＬとインタフェースをとるアナログフロントエンドｘＤＳＬ  ＡＦＥを有する。それは、ＦＸＯと２つのＦＸＳとを有する。ＦＸＯとＦＸＳとは、ゲートウェイのデジタルデータバスを介し接続される。それは、内部のＶｏＩＰ通信バスである。
【００５５】
図３では、リインジェクションはない。スイッチＳＷ２は、ＶｏＩＰサービスがアナログ電話に提供されるように配置され、ＳＷ１は、ＰＳＴＮサービス又はＶｏＩＰサービスが当該アナログ電話に提供可能となるように配置される。スイッチＳＷ１は、ＦＸＯ又はＳＬＩＣ１をＰＳＴＮに接続する。スイッチＳＷ２は、アナログ電話インタフェースをＳＬＩＣ２に接続する。ＳＬＩＣ２は、デジタルデータバスを介しＦＸＯに接続される。図４では、リインジェクションが存在する。ＳＷ２の位置はＶｏＩＰサービスを提供することを可能にし、ＳＷ１の位置はリインジェクションＶｏＩＰサービスを提供することを可能にする。
【００５６】
図５及び６において、中央外部フィルタは存在しない。ｘＤＳＬとＰＳＴＮとは、同じチャネルを介しゲートウェイに提供されるが、ＰＳＴＮサービスは内部のローパスフィルタによりｘＤＳＬから分離される。図５において、リインジェクションは存在しない。ＳＷ２及びＳＷ３の位置はＶｏＩＰサービスを提供することを可能にし、ＳＷ１はＰＳＴＮサービスを提供することを可能にする。図６において、リインジェクションが存在する。ＳＷ３の位置はＶｏＩＰサービスを提供することを可能にし、ＳＷ２の位置はＶｏＩＰサービスを提供することを可能にし、第２の電話を有効にし、ＳＷ１の位置はリインジェクションサービスを提供することを可能にする。
【００５７】
より一般には、リインジェクションは、住居電話配線の動的な再利用と、ＦＸＳポートの利用を拡張することによって、ゲートウェイによるＰＳＴＮ又はＶｏＩＰサービスのトランスペアレントな配信とを可能にする。
【００５８】
ゲートウェイ管理エージェントは、アラーム／通知メッセージを管理サーバに発信する。それは、管理プロトコルとしてＴＲ−６９を利用する。この通知は、自動設定サーバに送信される“アクティブ通知”である。ＴＲ−６９に関して、ＵＴＰライン上に電流／電圧が検出されるか否かを示すためのパラメータが規定される。このパラメータの名称は、Ｔｒｕｅ／Ｆａｌｓｅ又は１／０の値を有するブールパラメータであり、ＩｎｔｅｒｎｅｔＧａｔｅｗａｙＤｅｖｉｃｅ．Ｓｅｒｖｉｃｅｓ．ＶｏｉｃｅＳｅｒｖｉｃｅ［ｉ］．Ｘ＿００Ｅ５０＿ＦＸＯＤＣＶｏｌｔａｇｅＲｅｍｏｖｅｄである。
【００５９】
管理サーバは、ライン電流値が変化すると、即座に通知されることを以前に契約している。それは、ＴＲ−０６９プロトコルのＳｅｔＰａｒａｍｅｔｅｒＡｔｔｒｉｂｕｔｅｓ  ＲＰＣ／コマンドを利用する。管理サーバは、通知を処理し、ループのバンドル解除を検出すると（ＦＸＯＤＣＶｏｌｔａｇｅＲｅｍｏｖｅｄ値がＦａｌｓｅ又は０である）、ＰＳＴＮ電話番号の自動移行を開始する。管理サーバは、加入者のＰＳＴＮ電話番号を取得するため、ＰＳＴＮ加入者データベースを照会する。管理サーバは、新たな又は追加的な電話番号を適用するため、設定コマンドをゲートウェイＶｏＩＰモジュールに発行する。特に、それはＳＩＰの場合にＳＩＰ  ＵＲＩをＶｏＩＰ通知プロトコルとして利用する。それはまた、特定の加入者の新たな又は追加的な電話番号を適用するため、設定コマンドをＶｏＩＰサーバに発行する。それは、このＳＩＰ  ＵＲＩをゲートウェイユーザエージェントのＳＩＰ登録を可能にする。
【００６０】
その後、カスタマは同じ電話番号を用いて音声通話を発信及び受信することが可能であるが、音声通話はＰＳＴＮの代わりにＶｏＩＰを介する。
【００６１】
回線がバンドル解除されるとき、検出モジュールは依然として電流／電圧検出を実行する。検出されると、ゲートウェイは当該検出についてＡＣＳに通知する。ＡＣにライン電流はあるが、ライン／ループがバンドル解除されることが予想されることが通知されると、ＶｏＩＰサーバにカスタマによって使用中の電話番号を検出するよう問い合わせ、それをＰＳＴＮネットワークにおいて設定する。
【００６２】
状態マシーンは、以下の表に示されるように、検出閾値のフレキシブルな設定を可能にし、ＴＲ６９プロトコルのＳｅｔＰａｒａｍｅｔｅｒＡｔｔｒｉｂｕｔｅｓ  ＲＰＣ／コマンドを介しＴＲ６９エージェントに複数の検出状態及びアラーム状態を通知する。
【００６３】
【表１】
2011519240.tif 000003
状態マシーン変数間のゲートウェイデータモデル（ＩＧＤ）へのマッピングは以下のとおりである。
・ＩＧＤパラメータ：
ＩｎｔｅｒｎｅｔＧａｔｅｗａｙＤｅｖｉｃｅ．Ｓｅｒｖｉｃｅｓ．ＶｏｉｃｅＳｅｒｖｉｃｅ［ｉ］．Ｘ＿００Ｅ５０＿ＦＸＯＤＣＶｏｌｔａｇｅＲｅｍｏｖｅｄ
・状態マシーン変数：
ＳＷ＿ＯＮ＿ｆｌａｇ
・値：
ＳＷ＿ＯＮ＿ｆｌａｇ＝０→Ｘ＿００Ｅ５０＿ＦＸＯＤＣＶｏｌｔａｇｅＲｅｍｏｖｅｄ＝０（ＦＸＯがライン上にある）
ＳＷ＿ＯＮ＿ｆｌａｇ＝１→Ｘ＿００Ｅ５０＿ＦＸＯＤＣＶｏｌｔａｇｅＲｅｍｏｖｅｄ＝１（ＦＸＯがライン上にある）
・ＩＧＤパラメータ：
ＩｎｔｅｒｎｅｔＧａｔｅｗａｙＤｅｖｉｃｅ．Ｓｅｒｖｉｃｅｓ．ＶｏｉｃｅＳｅｒｖｉｃｅ［ｉ］．Ｘ＿００Ｅ５０＿ＦＸＳＡｌａｒｍ
・状態マシーン変数：
ＦＸＳ＿ＡＬＡＲＭ
・値
ＦＸＳ＿ＡＬＡＲＭ＝０→Ｘ＿００Ｅ５０＿ＦＸＳＡｌａｒｍ＝０（ＦＸＳアラーム状態でなく通常動作）
ＦＸＳ＿ＡＬＡＲＭ＝１→Ｘ＿００Ｅ５０＿ＦＸＳＡｌａｒｍ＝１（ＦＸＳアラーム状態が検出される）
・ＩＧＤパラメータ：
ＩｎｔｅｒｎｅｔＧａｔｅｗａｙＤｅｖｉｃｅ．Ｓｅｒｖｉｃｅｓ．ＶｏｉｃｅＳｅｒｖｉｃｅ［ｉ］．Ｘ＿００Ｅ５０＿ＦＸＯＤＣＴＴｈｒｅｓｈｏｌｄ＿Ｖ
・状態マシーン変数：
ＦＸＯ＿ＣＯ＿ｌｉｎｅ＿ｖｏｌｔａｇｅ＿ｔｈｒｅｓｈｏｌｄ
・値：
このパラメータは、リモートＴＲ６９エージェントからプログラム可能であるか、又はシステムデフォルトを介しローカルに上書き可能である。上書きが行われる場合、ＴＲ６９リモート値のアクティブな更新が必要とされる。
・ＩＧＤパラメータ：
ＩｎｔｅｒｎｅｔＧａｔｅｗａｙＤｅｖｉｃｅ．Ｓｅｒｖｉｃｅｓ．ＶｏｉｃｅＳｅｒｖｉｃｅ［ｉ］．Ｘ＿００Ｅ５０＿ＦＸＯＤＣＴｈｒｅｓｈｏｌｄ＿Ｉ
・状態マシーン変数：
ＦＸＯ＿ＣＯ＿ｌｉｎｅ＿ｃｕｒｒｅｎｔ＿ｔｈｒｅｓｈｏｌｄ
・値：
このパラメータは、リモートＴＲ６９エージェントからプログラム可能であるか、又はシステムデフォルトを介しローカルに上書き可能である。上書きが行われる場合、ＴＲ６９リモート値のアクティブな更新が必要とされる。
【００６４】
明細書、請求項及び図面に開示される参照は、独立に又は何れか適切な組み合わせにより提供されてもよい。適切な場合には、各機能はハードウェア、ソフトウェア又はこれらの組み合わせにより実現されてもよい。
【００６５】
ここでの“一実施例”又は“実施例”という表現は、当該実施例に関して説明される特定の機能、構成又は特徴が本発明の少なくとも１つの実現形態に含まれうることを意味する。明細書の各所における“一実施例では”というフレーズの出現は、必ずしもすべてが同一の実施例を参照しているとは限らず、他の実施例から互いに排他的な独立した又は他の実施例でもない。
【００６６】
請求項に記載される参照番号は、単なる例示であり、請求項の範囲に対する限定的な効果を有するものでない。
【図１】
2011519240.tif 000004
【図２】
2011519240.tif 000005
【図３】
2011519240.tif 000006
【図４】
2011519240.tif 000007
【図５】
2011519240.tif 000008
【図６】
2011519240.tif 000009
【図７】
2011519240.tif 000010
【図８】
2011519240.tif 000011
【図９】
2011519240.tif 000012
【図１０】
2011519240.tif 000013
【図１１】
2011519240.tif 000014
【図１２】
2011519240.tif 000015
【図１３】
2011519240.tif 000016
【図１４】
2011519240.tif 000017
【手続補正書】
【提出日】平成22年11月4日(2010.11.4)
【手続補正１】
【補正対象書類名】特許請求の範囲
【補正対象項目名】全文
【補正方法】変更
【補正の内容】
【特許請求の範囲】
【請求項１】
少なくとも１つのアナログ電話を接続するための複数のプラグ手段を有するよう構成された、住居電話配線とのインタフェースと、第１音声サービスを前記少なくとも１つのアナログ電話に提供するよう構成される中央オフィスを有する、ネットワークとのブロードバンドインタフェースと、前記第１音声サービスが不可になると、前記ブロードバンドインタフェースを介し前記少なくとも１つのアナログ電話にＶｏＩＰサービスを提供するＦＸＳモジュールとを有するゲートウェイにおける方法であって、
前記ブロードバンドインタフェース上の電流及び電圧の存在に基づき、前記第１音声サービスが可能又は不可であるか検出するステップと、
前記第１音声サービスが不可である場合、前記ＦＸＳモジュールを前記住居電話配線に接続するステップと、
前記第１音声サービス又は前記ＶｏＩＰサービスを利用する際に同一の電話番号が利用可能となるように、前記ＦＸＳの接続をリモートサーバに通知するステップと、
を有する方法。
【請求項２】
第１音声サービスが存在し、前記ＦＸＳモジュールが前記住居電話配線に接続されている場合、前記ＦＸＳモジュールを前記住居電話配線から切断するステップと、
前記第１音声サービス又は前記ＶｏＩＰサービスを利用する際に同一の電話番号が利用可能となるように、前記住居電話配線からの前記ＦＸＳの切断をリモートサーバに通知するステップと、
を有する、請求項１記載の方法。
【請求項３】
前記ＦＸＳモジュールが前記住居電話配線から切断される場合、
ＦＸＯモジュールと前記中央オフィスとの間の回線の電圧を測定するステップと、
前記電圧がＦＸＯ＿ｖｏｌｔａｇｅ＿ｔｈｒｅｓｈｏｌｄ値を下回る場合に限って、前記ＦＸＳモジュールを前記住居電話配線に接続するステップと、
を有する、請求項１記載の方法。
【請求項４】
前記電圧が前記ＦＸＯ＿ｖｏｌｔａｇｅ＿ｔｈｒｅｓｈｏｌｄを上回る場合、前記回線の電流を測定するステップと、
前記電流がＦＸＯ＿ｃｕｒｒｅｎｔ＿ｔｈｒｅｓｈｏｌｄを下回る場合に限って、前記ＦＸＳモジュールを前記住居電話配線に接続するステップと、
を有する、請求項３記載の方法。
【請求項５】
前記ＦＸＳモジュールが前記住居電話配線に接続される場合、
前記ＦＸＳモジュールと前記中央オフィスとの間の回線の電流を測定するステップと、
前記電流がＦＸＳ＿ｃｕｒｒｅｎｔ＿ｔｈｒｅｓｈｏｌｄ値を上回る場合、前記回線の電圧を測定するステップと、
前記電圧がＦＸＳ＿ｖｏｌｔａｇｅ＿ｔｈｒｅｓｈｏｌｄ値を上回る場合、前記住居電話配線から前記ＦＸＳモジュールを切断するステップと、
を有する、請求項１記載の方法。
【請求項６】
少なくとも１つのアナログ電話を接続するための複数のプラグ手段を有するよう構成される、住居電話配線とのインタフェースと、
第１音声サービスを前記少なくとも１つのアナログ電話に提供するよう構成される中央オフィスを有する、ネットワークとのブロードバンドインタフェースと、
前記第１音声サービスが不可になると、前記ブロードバンドインタフェースを介し前記少なくとも１つのアナログ電話にＶｏＩＰサービスを提供するＦＸＳモジュールと、
前記ブロードバンドインタフェース上の電流及び電圧の検出に基づき前記第１音声サービスの存在を検出し、前記第１音声サービスが不可になると前記ＦＸＳモジュールを前記住居電話配線に接続し、前記第１音声サービスが可能になると前記ＦＸＳモジュールを前記住居電話配線から切断するバンドル解除検出手段と、
前記第１音声サービス又は前記ＶｏＩＰサービスを利用する際に同一の電話番号が利用可能となるように、前記第１音声サービスと前記ＶｏＩＰサービスとの間の切替時をゲートウェイ管理サーバに通知する管理エージェントと、
を有するゲートウェイ装置。
【国際調査報告】
2011519240.tif 000018
2011519240.tif 000019